(57)【要約】  リモートコントローラは、空気調和機の運転状態を表示する表示部と、表示部に通常表示を行う通常モードと表示部に通常表示よりも簡易な簡易表示を行い、通常モードで選択される空気調和機の運転モードより少ない運転モードが選択される簡易モードとを切り替える操作部と、表示部の表示動作を制御する制御部と、を備え、制御部は、通常モードで選択される空気調和機の運転モードと、簡易モードで選択される運転モードとが対応されたテーブルを記憶する記憶手段と、操作部によって通常モードから簡易モードに切り替えられた場合、記憶手段に記憶されたテーブルに基づいて、空気調和機の運転モードを変更する変更手段と、を有する。
2017026048.tif 000002
【特許請求の範囲】
【請求項１】
空気調和機の運転状態を表示する表示部と、
前記表示部に通常表示を行う通常モードと前記表示部に通常表示よりも簡易な簡易表示を行い、前記通常モードで選択される前記空気調和機の運転モードより少ない運転モードが選択される簡易モードとを切り替える操作部と、
前記表示部の表示動作を制御する制御部と、を備え、
前記制御部は、
前記通常モードで選択される前記空気調和機の運転モードと、前記簡易モードで選択される運転モードとが対応されたテーブルを記憶する記憶手段と、
前記操作部によって前記通常モードから前記簡易モードに切り替えられた場合、前記記憶手段に記憶された前記テーブルに基づいて、前記空気調和機の運転モードを変更する変更手段と、を有する
リモートコントローラ。
【請求項２】
前記通常モードで選択される運転モードとして、少なくとも冷房運転及び暖房運転が搭載され、前記簡易モードで選択される運転モードとして、冷房運転及び暖房運転が搭載されており、
前記記憶手段は、
前記通常モードで選択される暖房運転と、前記簡易モードで選択される暖房運転とが対応され、前記通常モードで選択される冷房運転と、前記簡易モードで選択される冷房運転とが対応されたテーブルを記憶している請求項１記載のリモートコントローラ。
【請求項３】
前記通常モードで選択される運転モードとして、除湿運転が搭載されており、
前記記憶手段は、
前記通常モードで選択される除湿運転と、前記簡易モードで選択される冷房運転とが対応されたテーブルを記憶している請求項２記載のリモートコントローラ。
【請求項４】
前記通常モードで選択される運転モードとして、送風運転が搭載されており、
前記記憶手段は、
前記通常モードで選択される送風運転と、前記簡易モードで選択される冷房運転とが対応されたテーブルを記憶している請求項２又は３記載のリモートコントローラ。
【請求項５】
前記通常モードで選択される運転モードとして、ランドリー運転が搭載されており、
前記記憶手段は、
運転モードの履歴を記憶しており、
前記制御部は、
前記操作部によって前記通常モードから前記簡易モードに切り替えられた場合、前記通常モードにおける運転モードを確認する確認手段と、
前記確認手段によって確認された前記通常モードにおける運転モードがランドリー運転である場合、ランドリー運転の前に実行されていた運転モードを確認する遡及確認手段を更に有し、
前記変更手段は、
前記遡及確認手段によって確認されたランドリー運転の前に実行されていた運転モード及び前記記憶手段に記憶された前記テーブルに基づいて、前記空気調和機の運転モードを変更するものである請求項２〜４のいずれか１項に記載のリモートコントローラ。
【請求項６】
前記記憶手段は、
前記通常モードで選択される暖房運転のみと、前記簡易モードで選択される暖房運転とが対応されたテーブルを記憶している請求項２〜５のいずれか１項に記載のリモートコントローラ。
【請求項７】
前記制御部は、
前記変更手段によって前記運転モードが変更された旨を前記表示部に表示する表示制御手段を更に有する請求項１〜６のいずれか１項に記載のリモートコントローラ。
【発明の詳細な説明】
【技術分野】
【０００１】
本発明は、空気調和機と通信するリモートコントローラに関する。
【背景技術】
【０００２】
近年、空気調和機と通信するリモートコントローラは、多機能化及び高機能化してきているため、リモートコントローラの表示部に表示された内容が複雑化してきている傾向がある。このため、表示部に通常表示を行う通常モードのほかに、通常よりも簡易な簡易表示を行う簡易モードを有するリモートコントローラが提案されている。【０００３】
特許文献１には、通常モードと特定モードとを切り換え可能なリモートコントロール装置が開示されている。通常モードは、複数の操作ボタンのうち全てが操作可能なモードであり、特定モードは、複数の操作ボタンのうち一部が操作可能なモードである。
【先行技術文献】
【特許文献】
【０００４】
【特許文献１】特開２００３−１２５４６４号公報
【発明の概要】
【発明が解決しようとする課題】
【０００５】
しかしながら、特許文献１のようなリモートコントローラは、通常モード時に実施されている空気調和機の運転モードが、簡易モード時に実施不可の運転モードである場合、切り替え可能条件に合致せず、簡易モードに切り替えることができない虞がある。このため、リモートコントローラの使い勝手が悪い。【０００６】
本発明は、上記のような課題を解決するためになされたもので、使い勝手が向上するリモートコントローラを提供するものである。
【課題を解決するための手段】
【０００７】
本発明に係るリモートコントローラは、空気調和機の運転状態を表示する表示部と、表示部に通常表示を行う通常モードと表示部に通常表示よりも簡易な簡易表示を行い、通常モードで選択される空気調和機の運転モードより少ない運転モードが選択される簡易モードとを切り替える操作部と、表示部の表示動作を制御する制御部と、を備え、制御部は、通常モードで選択される空気調和機の運転モードと、簡易モードで選択される運転モードとが対応されたテーブルを記憶する記憶手段と、操作部によって通常モードから簡易モードに切り替えられた場合、記憶手段に記憶されたテーブルに基づいて、空気調和機の運転モードを変更する変更手段と、を有する。
【発明の効果】
【０００８】
本発明によれば、簡易モードに切り替えられた場合、通常モードで選択される運転モードと簡易モードで選択される運転モードとが対応されたテーブルに基づいて、運転モードが変更される。このため、通常モードから簡易モードに確実に切り替えることができる。よって、リモートコントローラの使い勝手を向上させることができる。
【図面の簡単な説明】
【０００９】
【図１】本発明の実施の形態１における空気調和機２及びリモートコントローラ１を示す模式図である。
【図２】本発明の実施の形態１に係るリモートコントローラ１を示す斜視図である。
【図３】本発明の実施の形態１に係るリモートコントローラ１を示すブロック図である。
【図４】本発明の実施の形態１における記憶手段５４に記憶されたテーブルである。
【図５】本発明の実施の形態１における表示部１１を示す図である。
【図６】本発明の実施の形態１の変形例における表示部１１を示す図である。
【図７Ａ】本発明の実施の形態１における表示部１１を示す図である。
【図７Ｂ】本発明の実施の形態１における表示部１１を示す図である。
【図７Ｃ】本発明の実施の形態１における表示部１１を示す図である。
【図８】本発明の実施の形態１における表示部１１を示す図である。
【図９】本発明の実施の形態１に係るリモートコントローラ１の動作を示すフローチャートである。
【図１０】本発明の実施の形態２に係るリモートコントローラ１００を示すブロック図である。
【図１１】本発明の実施の形態２における記憶手段５４に記憶されたテーブルである。
【図１２】本発明の実施の形態２に係るリモートコントローラ１００の動作を示すフローチャートである。
【発明を実施するための形態】
【００１０】
実施の形態１．
以下、本発明に係るリモートコントローラの実施の形態について、図面を参照しながら説明する。図１は、本発明の実施の形態１における空気調和機２及びリモートコントローラ１を示す模式図である。この図１に基づいて、リモートコントローラ１について説明する。図１に示すように、リモートコントローラ１は、空気調和機２と通信するものである。
【００１１】
図２は、本発明の実施の形態１に係るリモートコントローラ１を示す斜視図である。図２に示すように、リモートコントローラ１は、表示部１１と、バックライト１２と、タッチパネル１３と、送信部１４と、ハードボタン１５とを備えている。表示部１１は、空気調和機２の運転状態を表示するものである。
【００１２】
バックライト１２は、表示部１１の後方に設けられ、表示部１１を照らすものである。タッチパネル１３は、表示部１１の表示領域と重なるように上方又は下方に設けられ、検知領域に対する操作を受け付けて検知座標を出力するものである。表示部１１の表示領域には、各ボタンのいずれもが配置される。なお、タッチパネル１３ではなく、ハードボタンが使用されてもよい。送信部１４は、運転情報等を変更する信号を空気調和機２に送信するものであり、例えばアンテナである。
【００１３】
ハードボタン１５は、運転ボタン１５ａと停止ボタン１５ｂと操作部１５ｃとから構成されている。運転ボタン１５ａは、空気調和機２の運転を開始するためのボタンである。停止ボタン１５ｂは、空気調和機２の運転を停止するためのボタンである。操作部１５ｃは、通常モードと簡易モードとを切り替えるものである。操作部１５ｃは、押下ボタンとして例示されているが、スライドスイッチとしてもよい。ここで、通常モードとは、表示部１１に通常表示を行うモードであり、簡易モードとは、表示部１１に通常よりも簡易な簡易表示を行うモードである。なお、簡易モードは、かんたんモードと呼称されてもよい。
【００１４】
図３は、本発明の実施の形態１に係るリモートコントローラ１を示すブロック図である。図３に示すように、リモートコントローラ１は、例えばマイコンのような制御部５０を備えている。制御部５０は、座標取得手段５１と、表示内容管理手段５２と、制御内容管理手段５３と、記憶手段５４と、確認手段５５と、変更手段５６と、表示制御手段５７とを備えている。座標取得手段５１は、タッチパネル１３においてタッチされた座標を取得する機能を有するものである。表示内容管理手段５２は、表示部１１に表示する画像、表示位置（座標）、画像の種類等を管理する機能を有するものである。画像の種類としては、単純な画像としての表示、ボタンとしての表示等が挙げられる。
【００１５】
制御内容管理手段５３は、座標取得手段５１によって取得された座標と、表示内容管理手段５２が管理する各情報とによって、タッチされた領域に存在する画像の種類を識別し、表示部１１の表示内容を更新するように表示内容管理手段５２に信号を送信する機能を有するものである。また、制御内容管理手段５３は、空気調和機２に制御信号を送信するように送信部１４を制御する機能を有するものである。なお、制御部５０は、ハードボタン１５が押下された場合、押下を検知して、ハードボタン１５に対応する機能を認識することによって、タッチパネル１３がタッチされた場合と同様の動作を行う。
【００１６】
図４は、本発明の実施の形態１における記憶手段５４に記憶されたテーブルである。図４に示すように、記憶手段５４は、通常モードで選択される空気調和機２の運転モードと、簡易モードで選択される空気調和機２の運転モードとが対応されたテーブルを記憶したものである。前述の如く、通常モードで選択される運転モードとして、冷房運転、暖房運転、除湿運転、送風運転及び自動運転が搭載されており、簡易モードで選択される運転モードとして、冷房運転及び暖房運転が搭載されている。なお、記憶手段５４は、空気調和機２の運転モードの履歴を記憶している。
【００１７】
通常モードにおける冷房運転は、簡易モードにおける冷房運転に対応する。通常モードにおける暖房運転は、簡易モードにおける暖房運転に対応する。通常モードにおける除湿運転は、簡易モードにおける冷房運転に対応する。通常モードにおける送風運転は、簡易モードにおける冷房運転に対応する。通常モードにおける自動運転は、簡易モードにおける冷房運転に対応する。このように、記憶手段５４は、通常モードで選択される暖房運転のみと、簡易モードで選択される暖房運転とが対応されたテーブルを記憶している。即ち、簡易モードにおける暖房運転に対応するのは、通常モードにおける暖房運転のみであり、通常モードにおける暖房運転以外の運転モードは、いずれも簡易モードにおける冷房運転に対応する。
【００１８】
確認手段５５は、操作部１５ｃによって通常モードから簡易モードに切り替えられた場合、通常モードにおける運転モードを確認するものである。即ち、確認手段５５は、操作部１５ｃが操作されたとき、現在実施されている運転モードを確認して把握する。なお、確認手段５５は、簡易モードから通常モードに切り替えられた場合、簡易モードにおける運転モードを確認する機能を有する。なお、制御部５０において、空気調和機２の運転モードが常時確認されるように構成されてもよい。この場合、確認手段５５を省略してもよい。
【００１９】
変更手段５６は、記憶手段５４に記憶されたテーブルに基づいて、空気調和機２の運転モードを変更するものである。例えば、通常モードにおける運転モードが冷房運転である場合、変更手段５６は、簡易モードにおいて冷房運転を維持する。通常モードにおける運転モードが暖房運転である場合、変更手段５６は、簡易モードにおいて暖房運転を維持する。通常モードにおける運転モードが除湿運転である場合、変更手段５６は、簡易モードにおいて冷房運転に変更する。通常モードにおける運転モードが送風運転である場合、変更手段５６は、簡易モードにおいて冷房運転に変更する。通常モードにおける運転モードが自動運転である場合、変更手段５６は、簡易モードにおいて冷房運転に変更する。
【００２０】
なお、変更手段５６は、記憶手段５４に記憶されたテーブルに基づいて、確認手段５５によって確認された簡易モードにおける運転モードを、通常モードにおける運転モードに変更する機能を有する。この場合、簡易モードにおける運転モードは、冷房運転又は暖房運転のいずれかであるため、変更手段５６は、記憶手段５４に記憶されたテーブルに基づいて、簡易モードにおける運転モードを、通常モードにおいても維持する。なお、簡易モードで使用可能な運転モードは、通常モードでも使用可能であるため、変更手段５６を介さずともよい。
【００２１】
図５は、本発明の実施の形態１における表示部１１を示す図であり、図６は、本発明の実施の形態１の変形例における表示部１１を示す図である。表示制御手段５７は、変更手段５６によって運転モードが変更された旨を表示部１１に表示するものである。例えば、図５に示すように、「運転モードが変更されます」という文章がポップアップ表示される。なお、図６に示すように、「運転モードが変更されます  運転モードを確認のうえ、冷房か暖房を選択して下さい」という文章がポップアップ表示されるようにしてもよい。この場合、通常モードから簡易モードに切り替えられ、変更手段５６によって、運転モードが自動的に冷房運転又は暖房運転に切り替えられたことを、より明確にユーザが認識することができる。
【００２２】
図７Ａ，図７Ｂ，図７Ｃ，図８は、本発明の実施の形態１における表示部１１を示す図である。次に、通常モードにおける表示画面及び簡易モードにおける表示画面について説明する。表示部１１において、通常モードと簡易モードとで表示内容が異なる。
【００２３】
図７Ａは、通常モードにおけるメイン表示画面２０が表示された表示部１１を示す図である。図７Ａに示すように、メイン表示画面２０には、設定温度、例えば「２６．５℃」が中央の設定温度表示部２１に表示されている。また、設定温度表示部２１の上方には、運転モード情報、例えば、「自動運転」が運転モード表示部２２に表示されている。表示部１１における上端部には、設定温度を上げるための上ボタン２５が表示され、表示部１１における下端部には、設定温度を下げるための下ボタン２６が表示されている。また、表示部１１の右上隅部には、運転モードを変更する運転モード変更画面２７に遷移するための運転モード変更ボタン２３が表示されている。更に、表示部１１の右下隅部には、メニューを選択するメニュー画面２８に遷移するためのメニューボタン２４が表示されている。
【００２４】
なお、メイン表示画面２０には、例えば冷房運転時において、設定湿度が設定温度と共に表示されるように構成されてもよい。この場合、設定湿度を上げる上ボタン２５及び設定湿度を下げる下ボタン２６が設けられる。暖房運転時においては、湿度の調整が不要の場合が多いため、設定湿度は表示されなくともよい。また、除湿運転時においては、温度の調節が不要であるため、設定温度は表示されなくともよく、設定湿度又は湿度の強さ等が表示される。更に、送風運転時においては、温度及び湿度の調整はされないため、設定温度、上ボタン２５及び下ボタン２６を非表示とすればよい。なお、送風運転時において、設定温度、上ボタン２５及び下ボタン２６がタッチされても無効とされるようにしてもよい。
【００２５】
図７Ｂは、運転モード変更画面２７が表示された表示部１１を示す図である。メイン表示画面２０において、運転モード変更ボタン２３がタッチされると、運転モード変更画面２７に遷移する。図７Ｂに示すように、運転モード変更画面２７には、冷房運転ボタン、暖房運転ボタン、除湿運転ボタン、送風運転ボタン及び自動運転ボタンが表示されている。即ち、通常モードで選択される運転モードとして、冷房運転、暖房運転、除湿運転、送風運転及び自動運転が搭載されている。
【００２６】
図７Ｃは、メニュー画面２８が表示された表示部１１を示す図である。メイン表示画面２０において、メニューボタン２４がタッチされると、メニュー画面２８に遷移する。図７Ｃに示すように、メニュー画面２８には、風あてボタン、あてよけボタン、風よけボタン、ムラなしボタン、±エリアボタン、風向風速ボタンが表示されている。また、メニュー画面２８には、戻りボタン、「前へ」ボタン、「次へ」ボタンが表示されている。これらのボタンがタッチされることによって、ほかの機能を有するボタンが表示される。なお、表示される全てのボタンが、表示部１１の範囲に収まる場合、一画面に全てのボタンが表示され、戻りボタン、「前へ」ボタン、「次へ」ボタンは不要である。即ち、機能の数が多い場合、表示部１１の大きさが小さい場合等には、戻りボタン、「前へ」ボタン、「次へ」ボタンが設けられ、一覧画面が複数設けられる。
【００２７】
図８は、簡易モードにおける簡易表示画面３０が表示された表示部１１を示す図である。図８に示すように、簡易表示画面３０には、設定温度、例えば「２６℃」が中央の設定温度表示部３１に表示されている。また、設定温度表示部３１の上方には、設定温度を上げるための上ボタン３２が表示され、設定温度表示部３１の下方には、設定温度を下げるための下ボタン３３が表示されている。また、表示部１１の下端部は、３つのボタンが設けられており、左側には、運転モード情報、例えば、冷房ボタン３４が表示されている。また、右側には、運転モード情報、例えば、暖房ボタン３５が表示されている。即ち、簡易モードで選択される運転モードとして、冷房運転及び暖房運転が搭載されており、通常モードに比べて運転モードの選択数が制限されている。このように、簡易モードで選択される運転モードは、通常モードで選択される運転モードより少ない。
【００２８】
簡易モードにおいて、運転モードは、冷房ボタン３４又は暖房ボタン３５のいずれかがタッチされることにより設定され、設定された運転モードと設定されない運転モードとが白黒反転される。更に、中央部には、１時間後に空気調和機２の動作を停止する切タイマーを設定するための切タイマーボタン３６が表示されている。簡易モードにおいて、切タイマーボタン３６がタッチされると、切タイマーが設定され、表示が白黒反転される。
【００２９】
次に、通常モードにおける動作について説明する。リモートコントローラ１の運転ボタン１５ａが押下されると、制御部５０によって押下が検知される。そして、運転信号が送信部１４から空気調和機２に送信され、表示部１１に通常モードのメイン画面（図７Ａ参照）が表示される。その後、運転モード変更ボタン２３がタッチされると、座標取得手段５１によって、タッチされた座標が取得される。その座標に基づいて、表示内容管理手段５２によって、タッチされた領域にある画像の種類、即ち運転モード変更ボタン２３がタッチされたことが識別される。次に、制御内容管理手段５３によって、画像の種類及び現在の運転状態に基づいて、次の動作が決定される。
【００３０】
図７Ａでは、運転モードが自動運転であるときに運転モード変更ボタン２３がタッチされている。これにより、制御内容管理手段５３は、運転モード変更画面２７において自動運転ボタンが選択されるように表示内容管理手段５２を制御し、運転モード変更画面２７（図７Ｂ参照）が表示される。そして、運転モード変更画面２７に表示された冷房運転ボタン、暖房運転ボタン、除湿運転ボタン、送風運転ボタン及び自動運転ボタンのいずれかがタッチされると、そのボタンに応じた運転モードに変更される。また、メニューボタン２４がタッチされると、メニュー画面２８（図７Ｃ参照）が表示される。そして、メニュー画面２８に表示された各ボタンがタッチされると、そのボタンに応じたメニューが選択される。また、上ボタン２５がタッチされると、設定温度が上昇し、下ボタン２６がタッチされると、設定温度が下降する。
【００３１】
次に、簡易モードにおける動作について説明する。リモートコントローラ１の運転ボタン１５ａが押下されると、制御部５０によって押下が検知される。そして、運転信号が送信部１４から空気調和機２に送信され、表示部１１に簡易モードの簡易表示画面３０（図８参照）が表示される。冷房ボタン３４又は暖房ボタン３５がタッチされると、タッチされたボタンが白黒反転し、そのボタンに応じた運転モードに変更される。また、切タイマーボタン３６がタッチされると、切タイマーボタン３６が白黒反転し、１時間切タイマーが設定される。更に、上ボタン３２がタッチされると、設定温度が上昇し、下ボタン３３がタッチされると、設定温度が下降する。
【００３２】
図９は、本発明の実施の形態１に係るリモートコントローラ１の動作を示すフローチャートである。次に、通常モードから簡易モードに切り替えられる場合の動作について説明する。図９に示すように、先ず、操作部１５ｃが押下されて通常モードから簡易モードに切り替えられる（ステップＳＴ１）。次に、確認手段５５によって通常モードにおける運転モードが確認される（ステップＳＴ２）。その後、変更手段５６によって、記憶手段５４に記憶されたテーブルに基づいて、運転モードが変更される（ステップＳＴ３）。
【００３３】
本実施の形態１によれば、簡易モードに切り替えられた場合、通常モードで選択される運転モードと簡易モードで選択される運転モードとが対応されたテーブルに基づいて、運転モードが変更される。このため、通常モードから簡易モードに確実に切り替えることができる。よって、リモートコントローラ１の使い勝手を向上させることができる。従来のリモートコントローラ１は、通常モード時に実施されている空気調和機２の運転モードが、簡易モード時に実施不可の運転モードの場合、切り替え可能な条件に合致せず、簡易モードに切り替えることができない。これに対し、本実施の形態１では、通常モード時に実施されている運転モードが、簡易モードで実施不可の運転モードであっても、テーブルに基づいて、簡易モードで実施可能の運転モードに自動的に変更される。従って、通常モードから簡易モードに確実に切り替えることができる。これにより、簡易モードにおいて、利用頻度が高い一部の機能のみを使用することができるため、リモートコントローラ１の使い勝手が向上する。
【００３４】
また、従来、モードが切り換えられた際、切り換え後のモードにおいて操作可能なボタンのバックライトを点灯させるものが知られているが、この場合、ボタン毎に操作が制限される。このため、ボタンで設定することができる複数の機能のうち一部の機能のみを制限することはできず、制限するのであれば、複数の機能全てを制限する必要がある。従って、例えば簡易モードでは、運転モード変更ボタン２３の機能が制限されてしまうため、運転モードを変更することができない。これに対し、本実施の形態１では、バックライト１２の消灯によってボタンを無効にするものではない。従って、ボタンで設定することができる複数の機能のうち一部の機能を使用不可にすることができる。従って、リモートコントローラ１の使い勝手が向上する。
【００３５】
また、通常モードで選択される運転モードとして、少なくとも冷房運転及び暖房運転が搭載され、簡易モードで選択される運転モードとして、冷房運転及び暖房運転が搭載されており、記憶手段５４は、通常モードで選択される暖房運転と、簡易モードで選択される暖房運転とを対応させ、通常モードで選択される冷房運転と、簡易モードで選択される冷房運転とが対応されたテーブルを記憶している。更にまた、通常モードで選択される運転モードとして、送風運転が搭載され、記憶手段５４は、通常モードで選択される送風運転と、簡易モードで選択される冷房運転とが対応されたテーブルを記憶している。このように、多様な運転モードで運転されていても、簡易モードで実施可能な運転モードに変更されるため、通常モードから簡易モードに確実に切り替えることができる。
【００３６】
また、記憶手段５４は、通常モードで選択される暖房運転のみと、簡易モードで選択される暖房運転とが対応されたテーブルを記憶している。即ち、簡易モードにおける暖房運転に対応するのは、通常モードにおける暖房運転のみであり、通常モードにおける暖房運転以外の運転モードは、いずれも簡易モードにおける冷房運転に対応する。これにより、不用意に暖房運転に変更されることが抑制されるため、ユーザの快適性を損なわない。
【００３７】
また、制御部５０は、変更手段５６によって運転モードが変更された旨を表示部１１に表示する表示制御手段５７を更に有する。これにより、ユーザは、運転モードが変更されたことを認識することができ、運転モードの誤認を低減することができる。従って、リモートコントローラ１の使い勝手が向上する。
【００３８】
実施の形態２．
図１０は、本発明の実施の形態２に係るリモートコントローラ１００を示すブロック図である。本実施の形態２は、ランドリー運転が搭載されており、また制御部１５０が遡及確認手段１５８を有している点で、実施の形態１と相違する。本実施の形態２では、実施の形態１と同一の部分は同一の符号を付して説明を省略し、実施の形態１との相違点を中心に説明する。
【００３９】
図１０に示すように、制御部１５０は遡及確認手段１５８を有している。遡及確認手段１５８は、確認手段５５によって確認された通常モードにおける運転モードがランドリー運転である場合、ランドリー運転の前に実行されていた運転モードを確認するものである。
【００４０】
図１１は、本発明の実施の形態２における記憶手段５４に記憶されたテーブルである。図１１に示すように、記憶手段５４は、通常モードで選択される空気調和機２の運転モードと、簡易モードで選択される空気調和機２の運転モードとが対応されたテーブルを記憶したものである。前述の如く、通常モードで選択される運転モードとして、ランドリー運転が搭載されている。ランドリー運転は、室内に干された衣類等を乾燥させるために使用される運転モードである。ランドリー運転は、いずれの運転モードで運転されていても設定可能であり、ランドリー設定時間が経過すると、ランドリー運転の前に実行されていた運転モードに戻る機能を有している。テーブルにおいて、通常モードにおけるランドリー運転は、前に実行されていた運転モードが暖房運転の場合、簡易モードにおける暖房運転に対応する。一方、前に実行されていた運転モードが暖房運転以外の場合、簡易モードにおける冷房運転に対応する。
【００４１】
変更手段５６は、遡及確認手段１５８によって確認されたランドリー運転の前に実行されていた運転モード及び記憶手段５４に記憶されたテーブルに基づいて、空気調和機２の運転モードを変更するものである。例えば、通常モードにおける運転モードがランドリー運転であり、その前に実行されていた運転モードが暖房運転の場合、変更手段５６は、簡易モードにおいて暖房運転に変更する。通常モードにおける運転モードがランドリー運転であり、その前に実行されていた運転モードが暖房運転以外の場合、変更手段５６は、簡易モードにおいて冷房運転に変更する。
【００４２】
図１２は、本発明の実施の形態２に係るリモートコントローラ１００の動作を示すフローチャートである。図１２に示すように、先ず、操作部１５ｃが押下されて通常モードから簡易モードに切り替えられる（ステップＳＴ１１）。次に、確認手段５５によって通常モードにおける運転モードが確認される（ステップＳＴ１２）。ここで、通常モードにおける運転モードがランドリー運転モードであるか否かが判定される（ステップＳＴ１３）。運転モードがランドリー運転以外の場合（ステップＳＴ１３のＮｏ）、変更手段５６によって、記憶手段５４に記憶されたテーブルに基づいて、運転モードが変更される（ステップＳＴ１５）。
【００４３】
一方、運転モードがランドリー運転である場合（ステップＳＴ１３のＹｅｓ）、遡及確認手段１５８によって、ランドリー運転の前に実行されていた運転モードが確認される（ステップＳＴ１４）。その後、変更手段５６によって、記憶手段５４に記憶されたテーブルに基づいて、運転モードが変更される（ステップＳＴ１５）。
【００４４】
本実施の形態２によれば、通常モードで選択される運転モードとして、ランドリー運転が搭載されており、記憶手段５４は、運転モードの履歴を記憶しており、制御部５０は、操作部１５ｃによって通常モードから簡易モードに切り替えられた場合、通常モードにおける運転モードを確認する確認手段５５と、確認手段５５によって確認された通常モードにおける運転モードがランドリー運転である場合、ランドリー運転の前に実行されていた運転モードを確認する遡及確認手段１５８を更に有し、変更手段５６は、遡及確認手段１５８によって確認されたランドリー運転の前に実行されていた運転モード及び記憶手段５４に記憶されたテーブルに基づいて、空気調和機２の運転モードを変更するものである。
【００４５】
ランドリー運転中に操作部１５ｃが操作されて簡易モードに移行する際、いずれかの運転モードに画一的に変更されると、例えば冬期であるにもかかわらず冷房運転に変更されるといったことが起こり得る。これに対し、本実施の形態２では、ランドリー運転の場合、遡及確認手段１５８によって前に実行されていた運転モードが確認され、それに基づいて運転モードが変更される。このため、時期に見合った運転モードに変更される。従って、リモートコントローラ１００の使い勝手が向上する。
【符号の説明】
【００４６】
１  リモートコントローラ、２  空気調和機、１１  表示部、１２  バックライト、１３  タッチパネル、１４  送信部、１５  ハードボタン、１５ａ  運転ボタン、１５ｂ  停止ボタン、１５ｃ  操作部、２０  メイン表示画面、２１  設定温度表示部、２２  運転モード表示部、２３  運転モード変更ボタン、２４  メニューボタン、２５  上ボタン、２６  下ボタン、２７  運転モード変更画面、２８  メニュー画面、３０  簡易表示画面、３１  設定温度表示部、３２  上ボタン、３３  下ボタン、３４  冷房ボタン、３５  暖房ボタン、３６  切タイマーボタン、５０  制御部、５１  座標取得手段、５２  表示内容管理手段、５３  制御内容管理手段、５４  記憶手段、５５  確認手段、５６  変更手段、５７  表示制御手段、１００  リモートコントローラ、１５０  制御部、１５８  遡及確認手段。
【図１】
2017026048.tif 000003
【図２】
2017026048.tif 000004
【図３】
2017026048.tif 000005
【図４】
2017026048.tif 000006
【図５】
2017026048.tif 000007
【図６】
2017026048.tif 000008
【図７Ａ】
2017026048.tif 000009
【図７Ｂ】
2017026048.tif 000010
【図７Ｃ】
2017026048.tif 000011
【図８】
2017026048.tif 000012
【図９】
2017026048.tif 000013
【図１０】
2017026048.tif 000014
【図１１】
2017026048.tif 000015
【図１２】
2017026048.tif 000016
【国際調査報告】
2017026048.tif 000017
2017026048.tif 000018
2017026048.tif 000019
2017026048.tif 000020